【手続補正書】
【提出日】平成28年6月14日(2016.6.14)
【手続補正１】
【補正対象書類名】特許請求の範囲
【補正対象項目名】全文
【補正方法】変更
【補正の内容】
【特許請求の範囲】
【請求項１】
カートリッジを収容するように適合された自動注射器であって、前記カートリッジは、バレルと、針と、プランジャ封止材を含むプランジャアセンブリと、を含み、前記カートリッジは、長手軸を画定する、前記自動注射器であって、
ハウジングと、
前記カートリッジの少なくとも一部分を収容するように適合されたカートリッジ搬送体であって、前記ハウジングに対して、前記カートリッジの前記長手軸に平行な方向に動くように配置された前記カートリッジ搬送体と、
前記カートリッジ搬送体に対して動くように配置されたプランジャ搬送体であって、前記プランジャアセンブリの少なくとも一部分と向かい合い、これを動かすように配置された前記プランジャ搬送体と、
前記カートリッジ搬送体を、前記プランジャ搬送体と選択的に結合して、前記プランジャ搬送体とともに動かすように配置された、少なくとも１つの伝達装置と、
前記プランジャ搬送体と結合された、細長い駆動装置であって、前記プランジャ搬送体を、前記カートリッジの前記長手軸に平行な方向に動かすように配置された前記細長い駆動装置と、
前記カートリッジ搬送体を前記プランジャ搬送体と取り外し可能に結合する為に前記少なくとも１つの伝達装置を選択的に収容する開口を含む、前記プランジャ搬送体及び前記カートリッジ搬送体のうちの少なくとも一方と、
モータと、
前記モータを前記細長い駆動装置と結合しているトランスミッションアセンブリと、
を備える自動注射器。
【請求項２】
カートリッジを収容するように適合された自動注射器であって、前記カートリッジは、バレルと、針と、プランジャ封止材を含むプランジャアセンブリと、を含み、前記カートリッジは、長手軸を画定する、前記自動注射器であって、
ハウジングと、
前記カートリッジの少なくとも一部分を収容するように適合されたカートリッジ搬送体であって、前記ハウジングに対して、前記カートリッジの前記長手軸に平行な方向に動くように配置された前記カートリッジ搬送体と、
前記カートリッジ搬送体に対して動くように配置されたプランジャ搬送体であって、前記プランジャアセンブリの少なくとも一部分と向かい合い、これを動かすように配置された前記プランジャ搬送体と、
前記カートリッジ搬送体を、前記プランジャ搬送体と選択的に結合して、前記プランジャ搬送体とともに動かすように配置された、少なくとも１つの伝達装置と、
前記プランジャ搬送体と結合された、細長い駆動装置であって、前記プランジャ搬送体を、前記カートリッジの前記長手軸に平行な方向に動かすように配置された前記細長い駆動装置とを備え、
前記伝達装置は、第１の位置と第２の位置との間を動くように配置され、前記第１の位置では、前記伝達装置は、前記カートリッジ搬送体又は前記プランジャ搬送体のうちの一方のみと係合し、前記第２の位置では、前記伝達装置は、前記カートリッジ搬送体を前記プランジャ搬送体と結合して、これらを同時に動かす為に、前記カートリッジ搬送体及び前記プランジャ搬送体の両方と係合する、
自動注射器。
【請求項３】
カートリッジを収容するように適合された自動注射器であって、前記カートリッジは、バレルと、針と、プランジャ封止材を含むプランジャアセンブリと、を含み、前記カートリッジは、長手軸を画定する、前記自動注射器であって、
ハウジングと、
前記カートリッジの少なくとも一部分を収容するように適合されたカートリッジ搬送体であって、前記ハウジングに対して、前記カートリッジの前記長手軸に平行な方向に動くように配置された前記カートリッジ搬送体であり、少なくとも１つの開口を含む前記カートリッジ搬送体と、
前記カートリッジ搬送体に対して動くように配置されたプランジャ搬送体であって、前記プランジャアセンブリの少なくとも一部分と向かい合い、これを動かすように配置された前記プランジャ搬送体であり、少なくとも１つの開口を含む前記プランジャ搬送体と、
前記カートリッジ搬送体を、前記プランジャ搬送体と選択的に結合して、前記プランジャ搬送体とともに動かすように配置された、少なくとも１つの伝達装置と、
前記プランジャ搬送体と結合された、細長い駆動装置であって、前記プランジャ搬送体を、前記カートリッジの前記長手軸に平行な方向に動かすように配置された前記細長い駆動装置とを備え、
前記少なくとも１つの伝達装置が、前記カートリッジ搬送体開口及び前記プランジャ搬送体開口のうちの一方のみにある第１の位置に配置されている場合、前記カートリッジ搬送体は、前記プランジャ搬送体と結合されず、前記少なくとも１つの伝達装置が、前記カートリッジ搬送体開口及び前記プランジャ搬送体開口のうちの両方にある第２の位置に配置されている場合、前記カートリッジ搬送体は、前記プランジャ搬送体とともに動くべく、前記プランジャ搬送体と結合される、
自動注射器。
【請求項４】
モータと、前記モータを前記細長い駆動装置と結合しているトランスミッションアセンブリと、を更に含む、請求項２又は３に記載の自動注射器。
【請求項５】
前記細長い駆動装置は、前記プランジャ搬送体と結合されたラックを含み、前記トランスミッションアセンブリは、前記ラックと係合して、これを動かすように配置されたピニオンギヤを含む、請求項１から４のいずれか一項に記載の自動注射器。
【請求項６】
前記プランジャ搬送体及び前記カートリッジ搬送体のうちの少なくとも一方は、前記カートリッジ搬送体を前記プランジャ搬送体と取り外し可能に結合する為に前記少なくとも１つの伝達装置を選択的に収容する開口を含む、請求項２に記載の自動注射器。
【請求項７】
前記少なくとも１つの伝達装置は、前記プランジャ搬送体を前記カートリッジ搬送体と結合する為に、前記プランジャ搬送体及び前記カートリッジ搬送体の両方の前記開口内に配置されている、請求項１又は６に記載の自動注射器。
【請求項８】
前記伝達装置は、第１の位置と第２の位置との間を動くように配置され、前記第１の位置では、前記伝達装置は、前記カートリッジ搬送体又は前記プランジャ搬送体のうちの一方のみと係合し、前記第２の位置では、前記伝達装置は、前記カートリッジ搬送体を前記プランジャ搬送体と結合して、これらを同時に動かす為に、前記カートリッジ搬送体及び前記プランジャ搬送体の両方と係合する、請求項１に記載の自動注射器。
【請求項９】
前記少なくとも１つの伝達装置が、前記カートリッジ搬送体開口及び前記プランジャ搬送体開口のうちの一方のみにある第１の位置に配置されている場合、前記カートリッジ搬送体は、前記プランジャ搬送体と結合されず、前記少なくとも１つの伝達装置が、前記カートリッジ搬送体開口及び前記プランジャ搬送体開口のうちの両方にある第２の位置に配置されている場合、前記カートリッジ搬送体は、前記プランジャ搬送体とともに動くべく、前記プランジャ搬送体と結合される、請求項１又は７に記載の自動注射器。
【請求項１０】
前記カートリッジ搬送体は、少なくとも１つの開口を含み、前記プランジャ搬送体は、少なくとも１つの開口を含み、前記ハウジングは、少なくとも１つの凹部を更に含み、前記少なくとも１つの伝達装置が、前記ハウジング凹部及び前記カートリッジ搬送体開口にある第１の位置に配置されている場合、前記カートリッジ搬送体は、前記プランジャ搬送体と結合されず、前記少なくとも１つの伝達装置が、前記カートリッジ搬送体開口及び前記プランジャ搬送体開口にある第２の位置に配置されている場合、前記カートリッジ搬送体は、前記プランジャ搬送体とともに動くべく、前記プランジャ搬送体と結合される、請求項３又は９に記載の自動注射器。
【請求項１１】
前記開口のうちの少なくとも１つが傾斜エッジを有し、前記伝達装置は、少なくとも一部分に丸みが付けられた外側表面を含み、前記伝達装置が前記第１の位置と前記第２の位置との間を動くと、前記少なくとも一部分に丸みが付けられた外側表面は、前記傾斜エッジの少なくとも一部分に乗って動く、請求項１０に記載の自動注射器。
【請求項１２】
前記カートリッジ搬送体又は前記プランジャ搬送体の前記開口のうちの少なくとも１つの中に、前記少なくとも１つの伝達装置を選択的に保持するように配置されたリテーナを更に含む、請求項３又は９に記載の自動注射器。
【請求項１３】
前記細長い駆動装置は、前記モータによって回転するように取り付けられたねじ山付き駆動ねじを含み、前記プランジャ搬送体は、前記駆動ねじと係合するように配置されたトレッド面を含む、請求項１又は４に記載の自動注射器。
【請求項１４】
ギヤトレインを更に備え、前記ギヤトレインは、前記モータから前記駆動ねじへ回転運動を伝達するように配置された少なくとも１つのギヤを含む、請求項１３に記載の自動注射器。
【請求項１５】
前記モータは、アクスルを含み、前記アクスルは、前記長手軸に平行に配置されている、請求項１又は４に記載の自動注射器。
【請求項１６】
前記モータと結合されたエネルギー源を更に含む、請求項１又は４に記載の自動注射器。
【請求項１７】
カートリッジを収容するように適合され、前記カートリッジは、プランジャヘッドと、前記プランジャ封止材と結合されたプランジャロッドと、を更に含み、前記プランジャ搬送体は、プランジャヘッドと接触するように適合されている、請求項１から４、６、７のいずれか一項に記載の自動注射器。
【請求項１８】
前記プランジャ搬送体は、前記プランジャ封止材と接触するように適合された細長いロッドを含む、請求項１から４、６、７のいずれか一項に記載の自動注射器。
【請求項１９】
前記カートリッジ搬送体は、前記バレルの少なくとも一部分と係合するように適合されたカートリッジ接続機能を含み、これによって、前記カートリッジ搬送体は、前記バレルを動かすように適合されている、請求項１から４、６、７のいずれか一項に記載の自動注射器。
【請求項２０】
ユーザが前記自動注射器の動作を起動できるユーザインタフェースを更に含む、請求項１から４、６、７のいずれか一項に記載の自動注射器。
【請求項２１】
前記カートリッジ及び前記ハウジングを選択的に覆うように配置されたカートリッジカバーを更に含む、請求項１から４、６、７のいずれか一項に記載の自動注射器。
【請求項２２】
カートリッジ排出装置を更に含む、請求項１から４、６、７のいずれか一項に記載の自動注射器。
【請求項２３】
少なくとも１つのセンサを含む、請求項１から４、６、７のいずれか一項に記載の自動注射器。
【請求項２４】
前記少なくとも１つのセンサは、患者センサを含む、請求項２３に記載の自動注射器。
【請求項２５】
針ストリッパを更に含む、請求項２３に記載の自動注射器。